(57)【要約】【目的】本発明は、第１、第２支持腕部に現出させた第１、第２収容窓部によって、箱体にＣＤを入れた扁平直方体状のケースを１枚または２枚収容するとともに、ケースへの衝撃を効率良く吸収することを目的としている。【構成】このため、紙製部材を箱状に形成し、内部に扁平直方体状のケースを収容する包装用箱体において、箱体の上面部に観音開き状態に夫々折り込まれる第１、第２支持腕部を設け、これらの第１、第２支持腕部には、扁平直方体状のケースを収容する第１、第２収容窓部を夫々現出させている。【選択図】        図１
2004244050.tif 000002
【特許請求の範囲】
【請求項１】
紙製部材を箱状に形成し、内部に扁平直方体状のケースを収容する包装用箱体において、この箱体の上面部に観音開き状態に夫々折り込まれる第１、第２支持腕部を設け、これらの第１、第２支持腕部には、前記扁平直方体状のケースを収容する第１、第２収容窓部を夫々現出させたことを特徴とする包装用箱体。
【請求項２】
前記箱体は、この箱体の底面となる四辺形の底面部を設け、この底面部の対峙する二辺に夫々接続される第１、第２側面部を設け、これら第１、第２側面部に対して直交すべく前記底面部の対峙する他の二辺に夫々接続される第３、第４側面部を設け、第１、第２側面部のいずれか一方の側面部に前記箱体の上面部を接続して設け、この上面部の側部と前記第１、第２側面部のいずれか他方の側面部とに係合によって箱形状を形成する係合部を設け、前記上面部に観音開き状態に夫々折り込まれる第１、第２支持腕部を設け、これらの第１、第２支持腕部には、前記扁平直方体状のケースを収容する第１、第２収容窓部を夫々現出させたことを特徴とする請求項１に記載の包装用箱体。
【請求項３】
前記箱体は、第３、第４側面部に包持腕部を夫々設け、前記収容窓部に扁平直方体状のケースを収容した後に、上面部に資料を載置し、この資料の第３、第４側面部側を前記包持腕部によって包持することを特徴とする請求項２に記載の包装用箱体。
【請求項４】
前記第１、第２支持腕部に形成される第１、第２収容窓部は、第１、第２支持腕部の折り込み時に上部位置となり、下端を揺動可能とする上部折り込み片と、第１、第２支持腕部の折り込み時に下部位置となり、上端を揺動可能とする下部折り込み片とによって現出され、前記上部折り込み片のみを折り込む状態と、前記上部折り込み片と下部折り込み片との両方を折り込む状態とによって、前記扁平直方体状のケースの収容枚数を可変としたことを特徴とする請求項１乃至請求項３のいずれか１項に記載の包装用箱体。
【発明の詳細な説明】
【０００１】
【発明の属する技術分野】
本発明は包装用箱体に係り、特に扁平直方体状のケース内にアプリケーションソフトやゲームソフトを記憶させたＣＤを入れ、このケースを箱体内に収容する包装用箱体に関する。
【０００２】
【従来の技術】
近時、コンピュータの発達及びこのコンピュータの周辺機器の開発に伴い、コンピュータ用プログラムを一時的に記憶するための、１メガ程度の記憶容量を有する携帯可能なディスク状記憶媒体が開発されている。
【０００３】
しかし、コンピュータの機能向上によって、コンピュータ用プログラムや処理ファイルの容量が増加し、１メガ程度の上述のディスク状記憶媒体では記憶できない状況が発生しており、大きな記憶容量を有するＣＤ（コンパクトディスク）やその他の記憶媒体が開発されている。
【０００４】
特に、コンピュータ用プログラム、例えばＯＳ（ｏｐｅｒａｔｉｎｇ  ｓｙｓｔｅｍ、コンピュータ管理プログラム）以外にも、アプリケーションソフトやゲームソフトにおいて、ソフトの供給時、つまりソフトの販売時に、上記のＣＤ（コンパクトディスク）が使用される傾向にある。
【０００５】
【特許文献１】
特開平１０−１１８６号公報  （第１−３頁、図１−３）
【特許文献２】
特開２００２−２８５６号公報  （第２−４頁、図１−２）
【０００６】
【発明が解決しようとする課題】
ところで、従来、例えばアプリケーションソフトやゲームソフトを記憶させたＣＤを供給、つまり販売する際には、ＣＤをＣＤ専用のケースに入れ、このＣＤ専用のケースを紙製板状部材から形成される包装用箱体内に収容し、この包装用箱体とアプリケーションソフトやゲームソフトの環境動作説明書及び操作説明書、連絡書類等の資料とをデザイン装飾された外箱にいっしょに入れている。
【０００７】
しかし、アプリケーションソフトやゲームソフトの高機能化に伴い、各ソフトのサイズ（「容量」ともいう）が大となり、１枚のＣＤ内に記憶させることができず、２枚目のＣＤを使用する場合が多々ある。
【０００８】
この結果、アプリケーションソフトやゲームソフトを記憶させたＣＤを供給、つまり販売時には、１個または２個のＣＤ専用のケースを収容するために、２種類の包装用箱体を夫々用意しておく必要があり、製作コストが大となり、経済的に不利であるという不都合がある。
【０００９】
また、アプリケーションソフトやゲームソフトを記憶させたＣＤの包装時には、１個用の包装用箱体と２個用の包装用箱体とを準備し、各ソフトのサイズ（「容量」ともいう）により変動するＣＤ枚数に応じて包装用箱体を選択しなければならず、包装作業が複雑化するという不都合がある。
【００１０】
【課題を解決するための手段】
そこで、この発明は、上記課題を解決するために、紙製部材を箱状に形成し、内部に扁平直方体状のケースを収容する包装用箱体において、この箱体の上面部に観音開き状態に夫々折り込まれる第１、第２支持腕部を設け、これらの第１、第２支持腕部には、前記扁平直方体状のケースを収容する第１、第２収容窓部を夫々現出させたことを特徴とする。
【００１１】
【発明の実施の形態】
上述の如く発明したことにより、第１、第２支持腕部に現出させた第１、第２収容窓部によって、箱体にＣＤを入れた扁平直方体状のケースを１枚または２枚収容するとともに、ケースへの衝撃を効率良く吸収している。
【００１２】
【実施例】
以下図面に基づいてこの発明の実施例を詳細に説明する。
【００１３】
図１〜図８はこの発明の実施例を示すものである。図１及び図２において、２は例えば直方体状の包装用箱体である。
【００１４】
先ず、この包装用箱体２の展開図を、図３によって説明する。
【００１５】
前記包装用箱体２は、図３に示す如く、この箱体２の底面となる四辺形の底面部４と、この底面部４の対峙する二辺、例えば長尺側の二辺に夫々接続される第１、第２側面部６、８と、これら第１、第２側面部６、８に対して直交すべく前記底面部４の対峙する他の二辺、例えば短尺側の二辺に夫々接続される第３、第４側面部１０、１２と、第１、第２側面部６、８のいずれか一方の側面部、例えば第１側面部６に接続した前記箱体２の上面部１４と、この上面部１４の側部、つまり第１側面部６に対して対峙する長尺側に、前記第１、第２側面部６、８のいずれか他方の側面部、例えば第２側面部８に重なるように設けた第５側面部となるオーバラップ側面部１６と、前記上面部１４の側部であるオーバラップ側面部１６と前記第２側面部８とに形成した係合部１８とを有する。
【００１６】
この係合部１８は、オーバラップ側面部１６から外側方向に突出する係合突出部１８−１と、この係合突出部１８−１に係合すべく前記底面部４と第２側面部８間に設けられる後述する第２谷折り曲げ線Ｌ２近傍に形成される切欠き部１８−２とからなる。
【００１７】
そして、前記係合部１８の係合突出部１８−１を切欠き部１８−２に係合させることによって展開図状態にある前記箱体２を箱形状に形成するものである。
【００１８】
また、前記箱体２の第３、第４側面部１０、１２に包持腕部２０、２２を夫々設けるとともに、前記上面部１４の短尺側には第１、第２突出部２４、２６を設ける。
【００１９】
そして、前記底面部４と第１、第２側面部６、８間に第１、第２谷折り曲げ線Ｌ１、Ｌ２を設けるとともに、底面部４と第３、第４側面部１０、１２間に第３、第４谷折り曲げ線Ｌ３、Ｌ４を設け、前記上面部１４と第１側面部６及びオーバラップ側面部１６間に第５、第６谷折り曲げ線Ｌ５、Ｌ６を設け、第３、第４側面部１０、１２と第１、第２包持腕部２０、２２間に第７、第８谷折り曲げ線Ｌ７、Ｌ８を設け、上面部１４と第１、第２突出部２４、２６間には第９、第１０谷折り曲げ線Ｌ９、Ｌ１０を設ける。
【００２０】
このとき、前記第１、第２側面部６、８及びオーバラップ側面部１６、そして第１、第２突出部２４、２６の幅寸法Ｗ１は、前記箱体２の厚み寸法となるため、すべて同一寸法となる。
【００２１】
更に、前記箱体２の第３、第４側面部１０、１２の幅寸法Ｗ２は、上述した幅寸法Ｗ１よりも大きく設定する。
【００２２】
そして、前記包持腕部２０、２２は、第３、第４側面部１０、１２の幅寸法Ｗ２の設定により、第７、第８谷折り曲げ線Ｌ７、Ｌ８によって折り曲げた際に、幅寸法Ｗ１とＷ２との差だけ上面部１４から離間することとなり、この離間部分にアプリケーションソフトやゲームソフトの環境動作説明書及び操作説明書、連絡書類等の資料２８の載置を可能としている。
【００２３】
前記箱体２の上面部１４に観音開き状態に夫々折り込まれる第１、第２支持腕部３０、３２を設け、これらの第１、第２支持腕部３０、３２には、例えばアプリケーションソフトやゲームソフトを記憶させた図示しないＣＤ（コンパクトディスク）を入れた扁平直方体状のＣＤ専用のケース３４を収容する第１、第２収容窓部３６、３８を夫々現出させる構成とする。
【００２４】
詳述すれば、前記箱体２の上面部１４に、図３に示す如く、Ｈ字状の第１切り込み線Ｃ１を設けて第１、第２支持腕部３０、３２を形成し、第１支持腕部３０のオーバラップ側面部１６側に第１１谷折り曲げ線Ｌ１１を設けるとともに、第２支持腕部３２の第１側面部６側に第１２谷折り曲げ線Ｌ１２を設ける。
【００２５】
また、前記第１支持腕部３０内に、前記第１切り込み線Ｃ１と同様に、Ｈ字状の第２切り込み線Ｃ２を設けるとともに、前記第２支持腕部３２内にはＨ字状の第３切り込み線Ｃ３を設ける。
【００２６】
更に、前記第１収容窓部３６は、図４及び図５に示す如く、第１支持腕部３０の折り込み時に上部位置となり、第１１谷折り曲げ線Ｌ１１により下端を揺動可能とする第１側上部折り込み片４０と、第１支持腕部３０の折り込み時に下部位置となり、第１３谷折り曲げ線Ｌ１３により上端を揺動可能とする第１側下部折り込み片４２とによって現出される。
【００２７】
前記第２収容窓部３８は、図４及び図５に示す如く、第２支持腕部３２の折り込み時に上部位置となり、第１２谷折り曲げ線Ｌ１２により下端を揺動可能とする第２側上部折り込み片４４と、第２支持腕部３２の折り込み時に下部位置となり、第１４谷折り曲げ線Ｌ１４により上端を揺動可能とする第２側下部折り込み片４６とによって現出される。
【００２８】
なお、前記第１、第２支持腕部３０、３２は、折り込み時に下端部位が前記底面部４に接触した際に、傾斜する状態となるように幅寸法Ｗ３が設定される。
【００２９】
そして、第１側及び第２側上部折り込み片４０、４４のみを折り込む状態と、前記第１側及び第２側上部折り込み片４０、４４と第１側及び第２側下部折り込み片４２、４６との両方を折り込む状態とによって、前記扁平直方体状のケース３４の収容枚数を可変、つまり１枚または２枚のケース３４の収容を可能とするものである。
【００３０】
なお、符号４８は、前記包装用箱体２とアプリケーションソフトやゲームソフトの環境動作説明書及び操作説明書、連絡書類等の資料２８とを入れるデザイン装飾された外箱、５０は前記第１谷折り曲げ線Ｌ１及び第２谷折り曲げ線Ｌ２、第５谷折り曲げ線Ｌ５、第６谷折り曲げ線Ｌ６、第９谷折り曲げ線Ｌ９、第１０谷折り曲げ線Ｌ１０、第１１谷折り曲げ線Ｌ１１、第１２谷折り曲げ線Ｌ１２において折り曲げ動作を容易とするために複数個形成された切り込みである。
【００３１】
次に、作用を説明する。
【００３２】
先ず、前記箱体２を形成する際には、箱体２の底面部４を基準として、第１谷折り曲げ線Ｌ１により第１側面部６を直角状態に折り曲げるとともに、第２谷折り曲げ線Ｌ２により第２側面部８を直角状態に折り曲げ、第３、第４谷折り曲げ線Ｌ３、Ｌ４により第３、第４側面部１０、１２を直角状態に夫々折り曲げる。
【００３３】
また、前記第１側面部６に対して、第５谷折り曲げ線Ｌ５により上面部１４を直角状態に折り曲げ、この上面部１４に対して、第６谷折り曲げ線Ｌ６によりオーバラップ側面部１６を直角状態に折り曲げるとともに、第９、第１０谷折り曲げ線Ｌ９、Ｌ１０により第１、第２突出部２４、２６を直角状態に夫々折り曲げる。
【００３４】
そして、前記オーバラップ側面部１６に形成した係合部１８の係合突出部１８−１を前記第２側面部８に形成した係合部１８の切欠き部１８−２に係合させ、前記第３、第４側面部１０、１２の立設する箱形状を形成する。
【００３５】
また、前記箱体２に１枚のケース３４を収容する際には、図１及び図４に示す如く、箱形状とした箱体２の上面部１４において、Ｈ字状の第１切り込み線Ｃ１を利用して、第１、第２支持腕部３０、３２を、第１１、第１２谷折り曲げ線Ｌ１１、Ｌ１２により底面部４に向かって観音開き状態に夫々折り曲げる。
【００３６】
そして、前記第１支持腕部３０に形成したＨ字状の第２切り込み線Ｃ２を利用して、図４に示す如く、第１側上部折り込み片４０を、第１１谷折り曲げ線Ｌ１１により箱体２の底面部４に向かって折り込み、前記第１収容窓部３６を現出させるとともに、第２側上部折り込み片４４を、第１２谷折り曲げ線Ｌ１２により箱体２の底面部４に向かって折り込み、前記第２収容窓部３８を現出させる。
【００３７】
前記第１、第２側上部折り込み片４０、４４の底面部４への折り込みによって現出された第１、第２収容窓部３６、３８を利用し、図６に示す如く、１枚のケース３４を収容する。
【００３８】
更に、前記箱体２に２枚のケース３４−１、３４−２を収容する際には、図２及び図５に示す如く、上述した箱体２に１枚のケース３４を収容する場合と同様に、箱形状とした箱体２の上面部１４において、Ｈ字状の第１切り込み線Ｃ１を利用して、第１、第２支持腕部３０、３２を、第１１、第１２谷折り曲げ線Ｌ１１、Ｌ１２により底面部４に向かって観音開き状態に夫々折り曲げる。
【００３９】
そして、前記第１支持腕部３０に形成したＨ字状の第２切り込み線Ｃ２を利用して、図５に示す如く、第１側上部折り込み片４０を、第１１谷折り曲げ線Ｌ１１により箱体２の底面部４に向かって折り込むとともに、第１側下部折り込み片４２を、第１３谷折り曲げ線Ｌ１３により箱体２の第２側面部８に向かって折り込み、前記第１収容窓部３６を現出させる。
【００４０】
また、前記第２側上部折り込み片４４を、第１２谷折り曲げ線Ｌ１２により箱体２の底面部４に向かって折り込むとともに、第２側下部折り込み片４６を、第１４谷折り曲げ線Ｌ１４により箱体２の第１側面部６に向かって折り込み、前記第２収容窓部３８を現出させる。
【００４１】
前記第１、第２側上部折り込み片４０、４４の底面部４への折り込み、及び第１側下部折り込み片４２の第２側面部８への折り込み、そして第２側下部折り込み片４６の第１側面部６への折り込みによって現出された第１、第２収容窓部３６、３８を利用し、図６に示す如く、２枚のケース３４−１、３４−２を収容する。
【００４２】
更にまた、前記外箱４８に箱体２と資料２８とを入れる際には、図７に示す如く、１枚あるいは２枚のケースを箱体２の上面部１４に収容した後に、この箱体２の上面部１４にアプリケーションソフトやゲームソフトの環境動作説明書及び操作説明書、連絡書類等の資料２８を載置し、前記包持腕部２０、２２を、第７、第８谷折り曲げ線Ｌ７、Ｌ８により箱体２の上面部１４に対して平行となるように折り曲げる。
【００４３】
そして、前記外箱４８には、図８に示す如く、資料２８の第３、第４側面部１０、１２側を包持した状態の箱体２を入れる。
【００４４】
これにより、前記第１、第２支持腕部３０、３２に現出させた第１、第２収容窓部３６、３８によって、前記箱体２にＣＤを入れた扁平直方体状のＣＤ専用のケース３４を１枚または２枚収容することができるとともに、ケース３４への衝撃を効率良く吸収し得るものである。
【００４５】
また、前記箱体２を図３の展開図に示すような紙製の板状部材から形成して、箱体２にＣＤを入れた扁平直方体状のＣＤ専用のケース３４を収容することにより、同一の紙製の板状部材から形成することができ、製作コストを低減し得て、経済的に有利である。
【００４６】
更に、前記箱体２は、１枚あるいは２枚のケースを上面部１４に収容した後に、上面部１４にアプリケーションソフトやゲームソフトの環境動作説明書及び操作説明書、連絡書類等の資料２８を載置し、この資料２８の第３、第４側面部１０、１２側を前記包持腕部２０、２２によって包持することにより、前記外箱４８に箱体２と資料２８とを入れる際に、箱体２に資料２８が包持されて資料２８が散乱してしまうおそれがなく、外箱４８への包装作業を容易に行うことができ、実用上有利である。
【００４７】
更にまた、前記第１収容窓部３６は、第１支持腕部３０の折り込み時に上部位置となり、第１１谷折り曲げ線Ｌ１１により下端を揺動可能とする第１側上部折り込み片４０と、第１支持腕部３０の折り込み時に下部位置となり、第１３谷折り曲げ線Ｌ１３により上端を揺動可能とする第１側下部折り込み片４２とからなるとともに、前記第２収容窓部３８は、図４及び図５に示す如く、第２支持腕部３２の折り込み時に上部位置となり、第１２谷折り曲げ線Ｌ１２により下端を揺動可能とする第２側上部折り込み片４４と、第２支持腕部３２の折り込み時に下部位置となり、第１４谷折り曲げ線Ｌ１４により上端を揺動可能とする第２側下部折り込み片４６とからなり、前記第１、第２側上部折り込み片４０、４４のみを折り込む状態と、前記第１、第２側上部折り込み片４０、４４と第１、第２側下部折り込み片４２、４６との両方を折り込む状態とによって、前記扁平直方体状のケースの収容枚数を可変、つまり１枚または２枚としたことにより、同一の箱体２によって異なる収容枚数のケースを包装することができ、ケースの収容枚数に応じて箱体の種類を変更させる必要がなく、使い勝手を向上し得る。
【００４８】
また、前記第１支持腕部３０に形成したＨ字状の第２切り込み線Ｃ２を利用して、第１側上部折り込み片４０を、第１１谷折り曲げ線Ｌ１１により箱体２の底面部４に向かって折り込むとともに、第２側上部折り込み片４４を、第１２谷折り曲げ線Ｌ１２により箱体２の底面部４に向かって折り込むことにより、現出される第１、第２収容窓部３６、３８を利用して、前記箱体２に１枚のケース３４を収容した際には、図４に示す如く、ケース３４の幅方向側端部（図４において左右両端部）が第１側、第２側上部折り込み片４０、４４に挟持されることとなり、ケース３４の幅方向（図４において左右方向）への移動が規制され、ケース３４のガタツキを防止し得るものである。
【００４９】
更に、前記第１支持腕部３０に形成したＨ字状の第２切り込み線Ｃ２を利用して、第１側上部折り込み片４０を、第１１谷折り曲げ線Ｌ１１により箱体２の底面部４に向かって折り込むとともに、第２側上部折り込み片４４を、第１２谷折り曲げ線Ｌ１２により箱体２の底面部４に向かって折り込み、第１側下部折り込み片４２を、第１３谷折り曲げ線Ｌ１３により箱体２のの第２側面部８に向かって折り込むとともに、第２側下部折り込み片４６を、第１４谷折り曲げ線Ｌ１４により箱体２の第１側面部６に向かって折り込むことにより、現出される第１、第２収容窓部３６、３８を利用して、前記箱体２に２枚のケース３４−１、３４−２を収容した際には、図５に示す如く、２枚のケース３４−１、３４−２の幅方向側端部（図５において左右両端部）が第１側、第２側上部折り込み片４０、４４に挟持されることとなり、２枚のケース３４−１、３４−２の幅方向（図４において左右方向）への移動が規制され、２枚のケース３４−１、３４−２のガタツキを防止し得る。
【００５０】
なお、この発明は上述実施例に限定されるものではなく、種々の応用改変が可能である。
【００５１】
例えば、この発明の実施例においては、包装用箱体を直方体状に形成したが、立方体状に形成することも可能である。
【００５２】
また、この発明の実施例においては、包装用箱体を、１枚または２枚のケースの収容可能な構成としたが、１枚〜３枚以上、例えば１枚〜３枚のケースを収容可能な特別構成とすることも可能である。
【００５３】
すなわち、１枚〜３枚のケースを収容する箱体において、ケースを支持する支持部材の一部を箱体から切り出して利用する一体型と、箱体から切り取って利用する分割型とが考えられる。
【００５４】
一体型としては、図９及び図１０に示す如く、箱体２の底面部４に切り込み線Ｘ１を形成し、この切り込み線Ｘ１を利用して支持部材５２を切り出す。このとき、切り込み線Ｘ１を、箱体２の底面部４の例えば２箇所に設け、２個の支持部材５２を切り出すものとする。
【００５５】
そして、前記切り込み線Ｘ１を利用して切り出される支持部材５２は、図１０に示す如く、先端に形成される係合凸部５２−１と、この係合凸部５２−１近傍に形成される係合張り出し部５２−２と、係合張り出し部５２−２と箱体２の底面部４とを連絡する連絡部５２−３とを有する形状とする。
【００５６】
このとき、連絡部５２−３は、係合用として機能する第１、第２段差部５４−１、５４−２を形成することにより、幅寸法によって第１〜第３連絡部５２ａ−３、５２ｂ−３、５２ｃ−３の３つの部分に区画される。
【００５７】
なお、前記切り込み線Ｘ１を利用して支持部材５２を切り出す際には、各部の幅寸法を以下のように設定する。つまり、図１０に示す如く、係合凸部５２−１をＤ１、係合張り出し部５２−２をＤ２、第１連絡部５２ａ−３をＤ３、第２連絡部５２ｂ−３をＤ４、第３連絡部５２ｃ−３をＤ５とした際に、
Ｄ２＞Ｄ５＞Ｄ４＞Ｄ１＞Ｄ３
に設定する。
【００５８】
さすれば、前記支持部材５２を切り出さない場合には、３枚のケースが収容可能となり、前記切り込み線Ｘ１を利用して支持部材５２を切り出した後に、図９に示す如く、支持部材５２の係合張り出し部５２−２を第１連絡部５２ａ−３と第２連絡部５４ｂ−３間の第１段差部５４−１に係合させた場合には、２枚のケースが収容可能となるとともに、支持部材５２の係合張り出し部５２−２を第２連絡部５２ｂ−３と第３連絡部５２ｃ−３間の第２段差部５４−２に係合させた場合には、１枚のケースが収容可能となり、同一の箱体によって１枚〜３枚までのケースを収容することができ、ケースの収容枚数に応じて箱体の種類を変更させる必要がなく、使い勝手を向上し得る。
【００５９】
なお、近時、通常のケースの厚みに比べて厚みを小とした薄型のケースも開発されていることにより、前記段差部の形成位置を微調整して枚数を増加させることにより、４枚以上のケースを収容することも可能となるものである。
【００６０】
上述の分割型としては、図１１〜図１３に示す如く、箱体２の上面部１４に第１、第２支持腕部３０、３２を形成する際に、これらの第１、第２支持腕部３０、３２間を支持部材６２として箱体２の上面部１４から切り取るものとする。
【００６１】
そして、切り取られる前記支持部材６２は、図１１に示す如く、例えば２つの第１、第２支持部材６２−１、６２−２に分割されるとともに、これらの第１、第２支持部材６２−１、６２−２の両端に係合凸部６２ａ−１、６２ｂ−１、６２ａ−２、６２ｂ−２を有する形状とする。
【００６２】
また、前記箱体２の底面部４には、図１２に示す如く、係合凸部６２ａ−１、６２ｂ−１、６２ａ−２、６２ｂ−２の係合する切り込み部６４を形成する。このとき、切り込み部６４は、図１２に示す如く、第１支持部材６２−１側の第１〜第４切り込み部６４ａ−１、６４ａ−２、６４ａ−３、６４ａ−４と、第２支持部材６２−２側の第１〜第４切り込み部６４ｂ−１、６４ｂ−２、６４ｂ−３、６４ｂ−４とを４個１組に形成する。
【００６３】
更に、第１〜第４切り込み部６４ａ−１、６４ａ−２、６４ａ−３、６４ａ−４及び第１〜第４切り込み部６４ｂ−１、６４ｂ−２、６４ｂ−３、６４ｂ−４の各間隔は、第１、第２支持部材６２−１、６２−２が、第１、第２切り込み部６４ａ−１、６４ａ−２及び第１、第２切り込み部６４ｂ−１、６４ｂ−２を使用した場合と、第１、第３切り込み部６４ａ−１、６４ａ−３及び第１、第３切り込み部６４ｂ−１、６４ｂ−３を使用した場合と、第１、第４切り込み部６４ａ−１、６４ａ−４及び第１、第４切り込み部６４ｂ−１、６４ｂ−４を使用した場合とにおいて、第１、第２支持部材６２−１、６２−２の形成する高さ位置によって設定される。
【００６４】
なお、第４切り込み部６４ａ−４及び第４切り込み部６４ｂ−４の形成に際しては、箱体の高さ寸法や箱体の衝撃強度等を考慮し、箱体の底面部にケースを直接接触させてもよい場合には、形成する必要がないものである。
【００６５】
さすれば、前記第１、第２支持部材６２−１、６２−２を、図１３に示す如く、第１、第２切り込み部６４ａ−１、６４ａ−２及び第１、第２切り込み部６４ｂ−１、６４ｂ−２に係合させた場合には、３枚のケースが収容可能となり、前記第１、第２支持部材６２−１、６２−２を、図１３に示す如く、第１、第３切り込み部６４ａ−１、６４ａ−３及び第１、第３切り込み部６４ｂ−１、６４ｂ−３に係合させた場合には、２枚のケースが収容可能となるとともに、前記第１、第２支持部材６２−１、６２−２を、図１３に示す如く、第１、第４切り込み部６４ａ−１、６４ａ−４及び第１、第４切り込み部６４ｂ−１、６４ｂ−４に係合させた場合には、１枚のケースが収容可能となり、同一の箱体によって１枚〜３枚までのケースを収容することができ、ケースの収容枚数に応じて箱体の種類を変更させる必要がなく、使い勝手を向上し得る。
【００６６】
なお、近時、通常のケースの厚みに比べて厚みを小とした薄型のケースも開発されていることにより、前記切り込み部６４の形成位置を微調整して枚数を増加させることにより、４枚以上のケースを収容することも可能となるものである。
【００６７】
更に、上述した分割型において、前記箱体２の底面部４に、係合凸部６２ａ−１、６２ｂ−１、６２ａ−２、６２ｂ−２の係合する切り込み部６４を形成する際に、図１４に示す如く、第１、第２切り込み部６４ａ−１、６４ａ−２の中心線Ｃａと第１、第２切り込み部６４ｂ−１、６４ｂ−２の中心線Ｃｂとをずらして形成すれば、ケースを支持するための２つの第１、第２支持部材６２−１、６２−２の頂点位置が一直線上に位置することがなくなり、箱体内にケースを収容した際にケースが箱体の上面部及び底面部方向に揺動するのを防止することができ、実用上有利である。
【００６８】
【発明の効果】
以上詳細に説明した如く、この発明によれば、紙製部材を箱状に形成し、内部に扁平直方体状のケースを収容する包装用箱体において、箱体の上面部に観音開き状態に夫々折り込まれる第１、第２支持腕部を設け、これらの第１、第２支持腕部には、扁平直方体状のケースを収容する第１、第２収容窓部を夫々現出させたので、第１、第２支持腕部に現出させた第１、第２収容窓部によって、前記箱体にＣＤを入れた扁平直方体状のケースを１枚または２枚収容することができるとともに、ケースへの衝撃を効率良く吸収し得る。
【図面の簡単な説明】
【図１】この発明の実施例を示す１枚のケースを収容する場合の包装用箱体の概略斜視図である。
【図２】２枚のケースを収容する場合の包装用箱体の概略斜視図である。
【図３】包装用箱体の展開図である。
【図４】１枚のケースを収容する場合の包装用箱体の要部拡大断面図である。
【図５】２枚のケースを収容する場合の包装用箱体の要部拡大断面図である。
【図６】１枚または２枚のケースを収容した状態を示す包装用箱体の概略斜視図である。
【図７】包装用箱体に資料を載置した状態を示す概略説明図である。
【図８】外箱に包装用箱体とアプリケーションソフトやゲームソフトの環境動作説明書及び操作説明書、連絡書類等の資料とを入れる状態を示す概略斜視図である。
【図９】この発明の第１の実施例を示す包装用箱体の底面図である。
【図１０】図９のＸ−Ｘ線による包装用箱体の要部拡大断面図である。
【図１１】この発明の第２の実施例を示す包装用箱体の概略斜視図である。
【図１２】包装用箱体の平面図である。
【図１３】包装用箱体内にケースを収容する際の要部拡大断面図である。
【図１４】この発明の第２の実施例における他の実施例を示す包装用箱体の平面図である。
【符号の説明】
２  包装用箱体
４  底面部
６  第１側面部
８  第２側面部
１０  第３側面部
１２  第４側面部
１４  上面部
１６  オーバラップ側面部
１８  係合部
１８−１  係合突出部
１８−２  切欠き部
２０、２２  包持腕部
２４  第１突出部
２６  第２突出部
２８  資料
３０  第１支持腕部
３２  第２支持腕部
３４  ＣＤ専用のケース
３６  第１収容窓部
３８  第２収容窓部
４０  第１側上部折り込み片
４２  第１側下部折り込み片
４４  第２側上部折り込み片
４６  第２側下部折り込み片
４８  外箱
Ｌ１  第１谷折り曲げ線
Ｌ２  第２谷折り曲げ線
Ｌ３  第３谷折り曲げ線
Ｌ４  第４谷折り曲げ線
Ｌ５  第５谷折り曲げ線
Ｌ６  第６谷折り曲げ線
Ｌ７  第７谷折り曲げ線
Ｌ８  第８谷折り曲げ線
Ｌ９  第９谷折り曲げ線
Ｌ１０  第１０谷折り曲げ線
Ｌ１１  第１１谷折り曲げ線
Ｌ１２  第１２谷折り曲げ線
Ｃ１  第１切り込み線
Ｃ２  第２切り込み線
Ｃ３  第３切り込み線
【図１】
2004244050.tif 000003
【図２】
2004244050.tif 000004
【図３】
2004244050.tif 000005
【図４】
2004244050.tif 000006
【図５】
2004244050.tif 000007
【図６】
2004244050.tif 000008
【図７】
2004244050.tif 000009
【図８】
2004244050.tif 000010
【図９】
2004244050.tif 000011
【図１０】
2004244050.tif 000012
【図１１】
2004244050.tif 000013
【図１２】
2004244050.tif 000014
【図１３】
2004244050.tif 000015
【図１４】
2004244050.tif 000016